(57)【要約】【課題】  宝飾品などの小物類の提供に際して、コラボレーションによる新たな販売促進手段のために必要な包装用容器を提供することにある。【解決手段】  包装用容器１０は、円筒形状の容器本体１１に、同じ円筒形状の蓋体２０を備え、容器本体１１の上端周辺部１２と蓋体２０の下端周辺部２１とをファスナーで係合させるようになっている。容器本体１０には、空間を埋めるように円形状の台座部材１５を着脱自在に備え、台座部材１５の中央部に設けられた切れ込み１６で宝飾品４０を保持している。また、蓋体２０の裏面２２には、半円形状の袋部２５を備え、この袋部２５にシングルＣＤ３０が収納されている。【選択図】  図１
0003105767.tif 000002
【実用新案登録請求の範囲】
【請求項１】
宝飾品などの小物類を保持可能な台座部材を着脱自在に設けた包装用容器であって、
その容器内に、データ記録媒体を収納可能とする袋部を備える包装用容器。
【請求項２】
台座部材に小物類が保持され、袋部にデータ記録媒体が収納された請求項１記載の包装用容器。
【請求項３】
小物類の提供時には、当該小物類を台座部材に保持させて、袋部にデータ記録媒体を収納し、提供後には、台座部材を外して携帯用小物入れとして用いることが可能な請求項１記載の包装用容器。
【請求項４】
台座部材に保持された小物類の提供にあたって選曲されたイメージサウンドを、袋部に収納されるデータ記録媒体に収録した請求項１から３のいずれかに記載の包装用容器。
【考案の詳細な説明】
【技術分野】
【０００１】
本考案は、宝飾品などの小物類を提供するときに用いられる包装用容器に関するものである。
【背景技術】
【０００２】
宝飾品などの小物類を提供するときに用いられる包装用容器には、様々なものが存在するが、その多くは小物類を保持するようにして収容した本体と、本体に取り付けられた開閉自在の蓋体とからなるものである。特許文献１は、このような宝飾品用の包装用容器にあって、本体（ケース）の蓋体（上蓋）裏面に証明書の類や宝飾品の写真などが表れるようにして、本体（ケース）内の宝飾品と証明書の類との関係が一目で分かるようにしたことを特徴としている。
【特許文献１】実用新案登録第３０４８８６８号公報
【考案の開示】
【考案が解決しようとする課題】
【０００３】
ところで、従来から子供用の菓子などでは、菓子の他に小さなおもちゃをおまけに付けていることがあった。近年では、それが大人の鑑賞にも堪え得る精巧なフィギア人形や、以前ヒットした歌謡曲を録音したＣＤであったりして、菓子の売り上げを大幅に増やしている。これらは、菓子と玩具、或いは、菓子と音楽のコラボレーションによる販売促進効果ということができる。
【０００４】
そこで、本願考案では、宝飾品などの小物類の提供に際して、コラボレーションによる新たな販売促進手段のために必要な包装用容器の提供を目的とする。
【課題を解決するための手段】
【０００５】
上記目的を達成するために、第一の考案は、宝飾品などの小物類を保持可能な台座部材を着脱自在に設けた包装用容器であって、その容器内に、データ記録媒体を収納可能とする袋部を備えることを特徴とする包装用容器である。
ここで、「データ記録媒体」とは、それ自身では空間を占有し得ない無体物であるデータを担持できる媒体であって、例えば、ＣＤ，ＭＤ，ＤＶＤ，ＭＯ（光磁気ディスク）などである。
また、「データ記録媒体」の「データ」とは、（携帯用）ステレオやパーソナルコンピュータ等で楽曲や映像として再生可能な音声データや画像データなどをいう。
【０００６】
第二の考案は、台座部材に小物類が保持され、袋部にデータ記録媒体が収納されたことを特徴とする包装用容器である。
第三の考案は、小物類の提供時には、当該小物類を台座部材に保持させて、袋部にデータ記録媒体を収納し、提供後には、台座部材を外して携帯用小物入れとして用いることが可能なことを特徴とする包装用容器である。
ここで、「提供」とは、有償で譲渡される売買の場合に限らず、ノベルティ商品のように無償で譲渡されるプレゼントの場合も含まれる。
第四の考案は、台座部材に保持された小物類の提供にあたって選曲されたイメージサウンドを、袋部に収納されるデータ記録媒体に収録したことを特徴とする包装用容器である。
【考案の効果】
【０００７】
本考案によれば、以下のような効果を有する。
（１）包装用容器に納められた小物類だけでなく、包装用容器の袋部へ収納されたデータ記録媒体を再生することで、楽曲を聴いたり映像を見たりして、楽しむことができる。
（２）再生した楽曲や映像によって、包装用容器に収められた小物類に商品イメージを形成できたり、他の商品との差別化を図ることができる。
（３）オリジナルなデータをデータ記録媒体に収録すれば、贈答品の授受にすてきな演出を図ることができる。
（４）小物類を保持する台座部材は着脱自在なので、小物類の提供後には台座部材を外して、携帯用小物入れとして用いることができる。
【考案を実施するための最良の形態】
【０００８】
本考案の実施形態を図面に基づいて説明する。
図１は、宝飾品提供時の本考案に係る包装用容器１０の状態を示した斜視図である。
包装用容器１０は、円筒形状の容器本体１１に、同じ円筒形状の蓋体２０を備え、容器本体１１の上端周辺部１２と蓋体２０の下端周辺部２１とをファスナーで係合させるようになっている。
【０００９】
容器本体１０には、空間を埋めるように円形状の台座部材１５を着脱自在に備え、台座部材１５の中央部に設けられた切れ込み１６で宝飾品４０を保持している。
また、蓋体２０の裏面２２には、半円形状の袋部２５を備え、この袋部２５にシングルＣＤ３０が収納されている。
【００１０】
収納するシングルＣＤ３０には、この宝飾品４０を販売する販売会社のオリジナル楽曲を収録している。従って、宝飾品４０の購入者は、宝飾品４０の購入時、オリジナル楽曲の収録されたシングルＣＤ３０を入手することになり、宝飾品４０の他にオリジナル楽曲も楽しむことができる。
【００１１】
一方、宝飾品４０を販売する販売会社にすれば、シングルＣＤ３０のオリジナル楽曲に価値があれば、宝飾品４０に付加価値を付けることになり、宝飾品４０の販売促進に効果を発揮する。
また、例えば、シングルＣＤ３０に海をイメージさせる楽曲を収録すれば、宝飾品４０にも海のイメージが重なり、宝飾品４０に海で身に付ける宝飾品というイメージを形成できる。そして、それが同種類の宝飾品との差別化にもつながる。
さらに、宝飾品４０が贈答品用である場合には、贈る者のオリジナルメッセージをシングルＣＤ３０に収録すれば、贈答品の授受にすてきな演出を図ることができる。
【００１２】
図２は、宝飾品提供後の本考案に係る包装用容器１０の状態を示した斜視図である。
宝飾品４０（図示せず）の提供後は、容器本体１１から台座部材１５を外す。そして、台座部材１５を外した後の空間に、シングルＣＤ３５，３５，…を収容し、携帯用小物入れとして使用することができる。なお、図示したのは、シングルＣＤ３５であるが、これに限らず、化粧品を入れて化粧用ポーチとして用いることも可能であるし、コンタクトレンズや雑貨類など身近に持ち歩く物を収容することも可能である。
【図面の簡単な説明】
【００１３】
【図１】宝飾品提供時の本考案に係る包装用容器の状態を示した斜視図。
【図２】宝飾品提供後の本考案に係る包装用容器の状態を示した斜視図。
【符号の説明】
【００１４】
１０  包装用容器          １１  容器本体
１２  上端周辺部          １５  台座部材
１６  切れ込み            
２０  蓋体                ２１  下端周辺部
２２  裏面                ２５  袋部
３０，３５  シングルＣＤ  ４０  宝飾品
【図１】
0003105767.tif 000003
【図２】
0003105767.tif 000004